(57)【要約】【課題】オーディオデータ伝送方法及び装置を開示する。【解決手段】オーディオデータ伝送方法において、伝送しようとするオーディオデータは、基本チャンネルオーディオデータと高チャンネルのサービスのための追加的なオーディオデータに分割される。直列バスの規格によるワード選択信号が左チャンネル又は右チャンネルを選択すると、その選択されるチャンネルに対応する基本チャンネルオーディオデータを伝送した後、ワード選択信号が他のチャンネルを選択するまでの残余時間の間、少なくとも一つの追加的なオーディオデータを伝送する。したがって、Ｉ２Ｓのような２チャンネルサポート用直列バスを用いて別途の設計変更がなくても５.１チャンネルのような高チャンネルのオーディオデータを伝送することができる。【選択図】図５
2012518939.tif 000002
【特許請求の範囲】
【請求項１】
直列バスを用いたデータ伝送方法において、
伝送しようとするオーディオデータを基本チャンネルオーディオデータと高チャンネルのサービスのための追加的なオーディオデータに分割すること；
前記直列バスの規格によるワード選択信号を生成すること；
前記ワード選択信号が左チャンネル又は右チャンネルを選択すると、前記の選択されるチャンネルに対応する基本チャンネルオーディオデータを伝送すること；及び
前記基本チャンネルオーディオデータの伝送後、前記ワード選択信号が他のチャンネルを選択するまでの残余時間の間、少なくとも一つの前記追加的なオーディオデータを伝送することを含むことを特徴とするオーディオデータ伝送方法。
【請求項２】
前記直列バスはＩ２Ｓ（Ｉｎｔｅｒ  ＩＣ―Ｓｏｕｎｄ）であることを特徴とする、請求項１に記載のオーディオデータ伝送方法。
【請求項３】
前記基本チャンネルオーディオデータは、２チャンネルオーディオデータであって、右チャンネルオーディオデータ及び左チャンネルオーディオデータを含むことを特徴とする、請求項１に記載のオーディオデータ伝送方法。
【請求項４】
前記高チャンネルは５.１チャンネルであって、前記追加的なオーディオデータは、右チャンネルサラウンドデータ、左チャンネルサラウンドデータ、センターデータ、低周波効果データのうち少なくともいずれか一つを含むことを特徴とする、請求項３に記載のオーディオデータ伝送方法。
【請求項５】
前記ワード選択信号が前記左チャンネルを選択した場合、前記追加的なオーディオデータを伝送することは、
前記基本チャンネルオーディオデータの伝送後、前記ワード選択信号が右チャンネルを選択するまでの残余時間の間、少なくとも一つの追加的なオーディオデータを伝送することを含むことを特徴とする、請求項１に記載のオーディオデータ伝送方法。
【請求項６】
前記ワード選択信号が前記右チャンネルを選択した場合、前記追加的なオーディオデータを伝送することは、
前記基本チャンネルオーディオデータの伝送後、前記ワード選択信号が左チャンネルを選択するまでの残余時間の間、少なくとも一つの追加的なオーディオデータを伝送することを含むことを特徴とする、請求項１に記載のオーディオデータ伝送方法。
【請求項７】
前記基本チャンネルオーディオデータ及び前記追加的なオーディオデータをそれぞれ前記直列バスの規格に符合するようにパケット化することをさらに含むことを特徴とする、請求項１に記載のオーディオデータ伝送方法。
【請求項８】
外部からオーディオデータを受信すること；及び
受信された前記オーディオデータに前記高チャンネルサービスのための追加的なオーディオデータがあるかどうかを判断することをさらに含むことを特徴とする、請求項１に記載のオーディオデータ伝送方法。
【請求項９】
直列バスを用いたデータ伝送方法において、
伝送しようとするオーディオデータを基本チャンネルオーディオデータと高チャンネルサービスのための追加的なオーディオデータに分割すること；
前記基本チャンネルオーディオデータを含むオーディオデータパケットを前記直列バスの規格に符合するように構成すること；
前記オーディオデータパケットにおいて前記基本チャンネルオーディオデータの挿入後に残った空の領域に前記追加的なオーディオデータを挿入すること；及び
前記基本チャンネルオーディオデータ及び前記追加的なオーディオデータを含むオーディオデータパケットを伝送することを含むことを特徴とするオーディオデータ伝送方法。
【請求項１０】
前記追加的なオーディオデータを挿入することは、前記直列バスの規格によってチャンネル別に伝送可能なパケットの長さを考慮することを含むことを特徴とする、請求項９に記載のオーディオデータ伝送方法。
【請求項１１】
直列バスを通してオーディオデータを伝送するオーディオデータ伝送装置において、
伝送しようとするオーディオデータを基本チャンネルオーディオデータと高チャンネルのサービスのための追加的なオーディオデータに分割するオーディオデータ処理部；及び
前記直列バスの規格によるワード選択信号を生成し、前記ワード選択信号が左チャンネル又は右チャンネルを選択すると、前記の選択されるチャンネルに対応する基本チャンネルオーディオデータを伝送した後、前記ワード選択信号が他のチャンネルを選択するまでの残余時間の間、少なくとも一つの前記追加的なオーディオデータを伝送する直列バス伝送制御部を含むことを特徴とするオーディオデータ伝送装置。
【請求項１２】
外部からオーディオデータを受信するオーディオデータ受信部をさらに含み、前記オーディオデータはＰＣＭ（Ｐｕｌｓｅ  Ｃｏｄｅ  Ｍｏｄｕｌａｔｉｏｎ）データであることを特徴とする、請求項１１に記載のオーディオデータ伝送装置。
【請求項１３】
前記直列バスはＩ２Ｓ（Ｉｎｔｅｒ  ＩＣ―Ｓｏｕｎｄ）であることを特徴とする、請求項１１に記載のオーディオデータ伝送装置。
【請求項１４】
前記オーディオデータ処理部は、前記基本チャンネルオーディオデータ及び前記追加的なオーディオデータを前記直列バスの規格によってパケット化することを特徴とする、請求項１１に記載のオーディオデータ伝送装置。
【請求項１５】
前記基本チャンネルオーディオデータは、２チャンネルオーディオデータであって、右チャンネルオーディオデータ及び左チャンネルオーディオデータを含むことを特徴とする、請求項１１に記載のオーディオデータ伝送装置。
【請求項１６】
前記高チャンネルは５.１チャンネルであって、前記追加的なオーディオデータは、右チャンネルサラウンドデータ、左チャンネルサラウンドデータ、センターデータ、低周波効果データのうち少なくともいずれか一つを含むことを特徴とする、請求項１１に記載のオーディオデータ伝送装置。
【請求項１７】
前記直列バス伝送制御部は、
前記ワード選択信号が前記左チャンネルを選択した場合、前記基本チャンネルオーディオデータの伝送後、前記ワード選択信号が右チャンネルを選択するまでの残余時間の間、少なくとも一つの追加的なオーディオデータを伝送し、前記ワード選択信号が前記右チャンネルを選択した場合、前記基本チャンネルオーディオデータの伝送後、前記ワード選択信号が左チャンネルを選択するまでの残余時間の間、少なくとも一つの追加的なオーディオデータを伝送することを特徴とする、請求項１１に記載のオーディオデータ伝送装置。
【発明の詳細な説明】
【技術分野】
【０００１】
本発明は、オーディオデータ伝送方法及び装置に関するもので、より詳細には、Ｉ２Ｓのような２チャンネルサポート用直列バスを用いて別途の設計変更がなくても５.１チャンネルのような高チャンネルのオーディオデータを伝送できるようにするオーディオデータの伝送技術に関するものである。
【背景技術】
【０００２】
一般に、Ｉ２Ｓ（Ｉｎｔｅｒ―ＩＣ  Ｓｏｕｎｄ）は、プロセッサ間にオーディオデータを送受信するために使用される直列バスインターフェース標準を意味する。Ｉ２Ｓは、オーディオデータをクロック信号と分離して処理し、このようなオーディオデータとクロック信号の分離処理を通してジッターを誘発する時間関連エラーを発生させないので、ジッター防止のための構成を別途に備える必要がない。このような利点のため、Ｉ２Ｓは、現在、オーディオデータを処理する多様な装置、例えば、ＣＤプレーヤー、ＤＶＤプレーヤー、ＭＰ３、移動通信端末機、デジタルＴＶ、オーディオシステムなどで広く使用されている。
【０００３】
通常、Ｉ２Ｓバスは、２チャンネルのオーディオデータの送受信をサポートする。このために、Ｉ２Ｓは、ＬＲ選択信号を伝送するためのＬＲクロック回線１個、ビットクロックを伝送するためのビットクロック回線１個、そして、オーディオデータを伝送するためのデータ回線１個などの合計３個の直列バス回線を含む。
【０００４】
最近のデジタルオーディオシステムは、より良質のサービスを提供するために、既存の２チャンネルのみならず、多重チャンネルのデジタルサラウンド再生環境を提供する。ところが、前記Ｉ２Ｓは、２チャンネルのオーディオデータの伝送のみをサポートするので、高チャンネル、例えば、５.１チャンネルのオーディオデータの伝送には使用できないという問題を有する。したがって、Ｉ２Ｓを用いて５.１チャンネルなどの多チャンネルオーディオデータを伝送できる技術が早急に要求されている。
【発明の概要】
【発明が解決しようとする課題】
【０００５】
本発明が解決しようとする技術的課題は、オーディオデータ伝送のための直列バス規格、例えば、Ｉ２Ｓなどを用いて５.１チャンネルのような高チャンネルのオーディオデータを伝送することによって、Ｉ２Ｓの互換性を高めることができるオーディオデータ伝送方法及び装置を提供することにある。
【課題を解決するための手段】
【０００６】
このような技術的課題を解決するために、本発明の一側面では、オーディオデータ伝送方法を提供する。前記オーディオデータ伝送方法は、直列バスを用いたデータ伝送方法において、伝送しようとするオーディオデータを基本チャンネルオーディオデータと高チャンネルのサービスのための追加的なオーディオデータに分割すること；前記直列バスの規格によるワード選択信号が左チャンネル又は右チャンネルを選択すると、前記の選択されるチャンネルに対応する基本チャンネルオーディオデータを伝送すること；及び前記基本チャンネルオーディオデータの伝送後、前記ワード選択信号が他のチャンネルを選択するまでの残余時間の間、少なくとも一つの前記追加的なオーディオデータを伝送することを含む。
【０００７】
前記直列バスは、Ｉ２Ｓ（Ｉｎｔｅｒ  ＩＣ―Ｓｏｕｎｄ）などであってもよい。前記基本チャンネルオーディオデータは、２チャンネルオーディオデータであってもよい。また、前記基本チャンネルオーディオデータは、右チャンネルオーディオデータ及び左チャンネルオーディオデータを含むことができる。
【０００８】
前記高チャンネルは５.１チャンネルであってもよい。この場合、前記追加的なオーディオデータは、右チャンネルサラウンドデータ、左チャンネルサラウンドデータ、センターデータ、低周波効果データのうち少なくともいずれか一つを含むことができる。
【０００９】
前記ワード選択信号が前記左チャンネルを選択した場合、前記追加的なオーディオデータを伝送することは、前記基本チャンネルオーディオデータの伝送後、前記ワード選択信号が右チャンネルを選択するまでの残余時間の間、少なくとも一つの追加的なオーディオデータを伝送することを含むことができる。その一方、前記ワード選択信号が前記右チャンネルを選択した場合、前記追加的なオーディオデータを伝送することは、前記基本チャンネルオーディオデータの伝送後、前記ワード選択信号が左チャンネルを選択するまでの残余時間の間、少なくとも一つの追加的なオーディオデータを伝送することを含むことができる。
【００１０】
一方、前記オーディオデータ伝送方法は、前記基本チャンネルオーディオデータ及び前記追加的なオーディオデータをそれぞれ前記直列バスの規格に符合するようにパケット化することをさらに含むことができる。また、前記オーディオデータ伝送方法は、外部からオーディオデータを受信すること；及び受信された前記オーディオデータに前記高チャンネルサービスのための追加的なオーディオデータがあるかどうかを判断することをさらに含むことができる。
【００１１】
一方、上述した本発明の技術的課題を解決するために、本発明の他の側面では、オーディオデータ伝送方法を提供する。前記オーディオデータ伝送方法は、直列バスを用いたデータ伝送方法において、伝送しようとするオーディオデータを基本チャンネルオーディオデータと高チャンネルサービスのための追加的なオーディオデータに分割すること；前記基本チャンネルオーディオデータを含むオーディオデータパケットを前記直列バスの規格に符合するように構成すること；前記オーディオデータパケットにおいて前記基本チャンネルオーディオデータの挿入後に残った空の領域に前記追加的なオーディオデータを挿入すること；及び前記基本チャンネルオーディオデータ及び前記追加的なオーディオデータを含むオーディオデータパケットを伝送することを含むことができる。
【００１２】
前記追加的なオーディオデータを挿入することは、前記直列バスの規格によってチャンネル別に伝送可能なパケットの長さを考慮することを含むこともできる。
【００１３】
一方、上述した技術的課題を解決するために、本発明の更に他の側面では、オーディオデータ処理装置を提供する。前記オーディオデータ処理装置は、直列バスを通してオーディオデータを伝送するオーディオデータ伝送装置において、伝送しようとするオーディオデータを基本チャンネルオーディオデータと高チャンネルのサービスのための追加的なオーディオデータに分割するオーディオデータ処理部；及び前記直列バスの規格によるワード選択信号が左チャンネル又は右チャンネルを選択すると、前記の選択されるチャンネルに対応する基本チャンネルオーディオデータを伝送した後、前記ワード選択信号が他のチャンネルを選択するまでの残余時間の間、少なくとも一つの前記追加的なオーディオデータを伝送する直列バス伝送制御部を含むことができる。
【００１４】
前記オーディオデータ処理装置は、外部からオーディオデータを受信するオーディオデータ受信部をさらに含むことができる。このとき、前記オーディオデータは、ＰＣＭ（Ｐｕｌｓｅ  Ｃｏｄｅ  Ｍｏｄｕｌａｔｉｏｎ）データであってもよい。一方、前記直列バスは、例えば、Ｉ２Ｓ（Ｉｎｔｅｒ  ＩＣ―Ｓｏｕｎｄ）であってもよい。
【００１５】
望ましくは、前記オーディオデータ処理部は、前記基本チャンネルオーディオデータ及び前記追加的なオーディオデータを前記直列バスの規格によってパケット化することができる。
【００１６】
前記基本チャンネルオーディオデータは、２チャンネルオーディオデータであってもよい。例えば、前記基本チャンネルオーディオデータは、右チャンネルオーディオデータ及び左チャンネルオーディオデータなどを含むことができる。
【００１７】
一方、前記高チャンネルは５.１チャンネルであってもよい。前記追加的なオーディオデータは、右チャンネルサラウンドデータ、左チャンネルサラウンドデータ、センターデータ、低周波効果データのうち少なくともいずれか一つを含むこともできる。
【００１８】
前記直列バス伝送制御部は、前記ワード選択信号が前記左チャンネルを選択した場合、前記基本チャンネルオーディオデータの伝送後、前記ワード選択信号が右チャンネルを選択するまでの残余時間の間、少なくとも一つの追加的なオーディオデータを伝送することができる。
【００１９】
その一方、前記ワード選択信号が前記右チャンネルを選択した場合、前記直列バス伝送部は、前記基本チャンネルオーディオデータの伝送後、前記ワード選択信号が左チャンネルを選択するまでの残余時間の間、少なくとも一つの追加的なオーディオデータを伝送することができる。
【発明の効果】
【００２０】
以上説明したように、本発明によると、Ｉ２Ｓのような２チャンネルサポート用直列バスを用いて別途の設計変更がなくても５.１チャンネルのような高チャンネルのオーディオデータを伝送することができる。したがって、直列バスの互換性を高めることができる。
【図面の簡単な説明】
【００２１】
【図１】Ｉ２Ｓによって伝送される各信号の波形を例示的に示すタイミング図である。
【図２】本発明の好適な実施例に係るオーディオデータ伝送方法を実現するための伝送システムを示すブロック図である。
【図３】図２に示されているオーディオデータ伝送装置の構成を示すブロック図である。
【図４】図２に示されているオーディオデータ受信装置の構成を示すブロック図である。
【図５】本発明の好適な実施例に係るオーディオデータ伝送方法を説明するためのフローチャートである。
【図６】本発明の好適な実施例によってオーディオデータを伝送する過程を示すタイミング図である。
【図７】本発明の好適な他の実施例に係るオーディオデータ伝送方法を説明するための例示図である。
【発明を実施するための形態】
【００２２】
以下、本発明の属する分野で通常の知識を有する者が本発明を容易に実施できるように、本発明の好適な実施例を添付の図面を参照して詳細に説明する。以下で説明する本発明の好適な実施例では、内容の明瞭性のために特定の技術用語を使用する。しかし、本発明は、その選択された特定用語に限定されるものでなく、それぞれの特定用語が、類似する目的を達成するために類似する方式で動作するあらゆる技術同義語を含むことを予め明らかにしておく。
【００２３】
図１は、Ｉ２Ｓ（Ｉｎｔｅｒ  ＩＣ  Ｓｏｕｎｄ）によって伝送される各信号の波形を例示的に示すタイミング図である。
【００２４】
図１を参照すると、Ｉ２Ｓは、３個の回線を使用してＬＲクロック（ＬＲＣ）、ビットクロック（ＢＣ）及び直列オーディオデータ（ＳＡＤ）を伝送する。
【００２５】
ＬＲクロック（ＬＲＣ）は、２チャンネルオーディオ信号においてＬ（Ｌｅｆｔ）チャンネル又はＲ（Ｒｉｇｈｔ）チャンネルを区別するためのワード選択信号を意味することができる。例えば、図１に示すように、ＬＲクロック（ＬＲＣ）がローレベルであるとＬチャンネル信号を示し、ＬＲクロック（ＬＲＣ）がハイレベルであるとＲチャンネル信号を示すことができる。もちろん、その反対に、ＬＲクロック（ＬＲＣ）がハイレベルであるとＬチャンネル信号を、ＬＲクロック（ＬＲＣ）がローレベルであるとＲチャンネル信号を示すことも可能である。ＬＲクロック（ＬＲＣ）の１周期当たりに伝送可能なビット数は、通常３２〜６４ビットである。
【００２６】
ビットクロック（ＢＣ）は、オーディオデータのサンプリング時に必要な信号である。また、ビットクロック（ＢＣ）は、オーディオデータの送受信時に信号間の同期化のために使用することができる。同期化時に、各信号は、ビットクロック（ＢＣ）のライジングエッジ（Ｒｉｇｉｎｇ  Ｅｄｇｅ）又はフォーリングエッジ（Ｆａｌｌｉｎｇ  Ｅｄｇｅ）のうちいずれか一つに同期化することができる。このとき、ライジングエッジを使用するか、それともフォーリングエッジを使用するかは選択可能な事項である。
【００２７】
直列オーディオデータ（ＳＡＤ）は、直列型で構成されたオーディオデータパケットを含むことができる。このような直列オーディオデータ（ＳＡＤ）は、ＬＲクロックの１周期当たりにＬチャンネル及びＲチャンネルに対してそれぞれ最大３２ビットのオーディオデータパケットを含むことができる。ところが、実際に２チャンネルのオーディオデータを伝送するとき、ＬＲクロックの１周期当たりに各チャンネル別に挿入されるオーディオデータは８ビット〜２４ビットに過ぎないので、残りの部分には何ら意味のないダミーデータが挿入される。
【００２８】
例えば、図１に示した例で、ＬＲクロックの１周期当たりに各チャンネル別に挿入可能なオーディオデータパケットの大きさは３２ビットであるが、実際に挿入されるオーディオデータパケットの大きさは１６ビットである。したがって、残りの１６ビットの空間には、同期を合わせるために何ら意味のないダミーデータを挿入するようになる。
【００２９】
一方、最近のデジタルオーディオシステムは、より良質のサービスを提供するために、既存の２チャンネルのみならず、多重チャンネルのデジタルサラウンド再生環境を提供する。ところが、上述したように、Ｉ２Ｓは、２チャンネルのオーディオデータの伝送のみをサポートするので、高チャンネル、例えば、５.１チャンネルのオーディオデータの伝送には使用できない。したがって、Ｉ２Ｓなどのような直列バスを使用して５.１チャンネルなどの多チャンネルオーディオデータを伝送できる技術が要求される。
【００３０】
以下の本発明の好適な実施例では、Ｉ２Ｓなどのような直列バスを使用して高チャンネルのオーディオデータを伝送できる技術を説明する。
【００３１】
図２は、本発明の好適な実施例に係るオーディオデータ伝送方法を実現するための伝送システムを示すブロック図である。
【００３２】
図２に示すように、伝送システム１０は、オーディオデータ伝送装置２０及びオーディオデータ受信装置３０を含むことができる。前記オーディオデータ伝送装置２０は、特定規格の直列バスを通してオーディオデータ受信装置３０にオーディオデータを伝送することができる。例えば、前記直列バスは、オーディオデータの伝送のための直列バスインターフェース標準であるＩ２Ｓ（Ｉｎｔｅｒ  ＩＣ  Ｓｏｕｎｄ）などであってもよい。
【００３３】
前記Ｉ２Ｓのような直列バスは、通常２チャンネルオーディオデータの伝送をサポートするが、本発明の好適な実施例に係る前記オーディオデータ伝送装置２０は、直列バスの規格を変更せずとも各チャンネル別にダミーデータ伝送領域を活用し、高チャンネル、例えば、５.１チャンネルのオーディオデータを伝送することができる。
【００３４】
このような伝送システム１０は、機器又はプロセッサ間にオーディオデータを送受信する必要がある多様なオーディオデータ処理機器、例えば、ＣＤプレーヤー、ＤＶＤプレーヤー、ＭＰ３プレーヤー、オーディオ／スピーカーシステム、デジタルＴＶ、移動通信端末機などに備えることができる。
【００３５】
図３は、図２に示されているオーディオデータ伝送装置２０の構成を示すブロック図である。
【００３６】
図３に示すように、オーディオデータ伝送装置２０は、オーディオデータ受信部２２、オーディオデータ処理部２４及び直列バス伝送制御部２６を含むことができる。
【００３７】
前記オーディオデータ受信部２２は、外部からオーディオデータを受信する機能を行う。前記オーディオデータは、例えば、ＰＣＭ（Ｐｕｌｓｅ  Ｃｏｄｅ  Ｍｏｄｕｌａｔｉｏｎ）データであってもよい。
【００３８】
前記オーディオデータ処理部２４は、オーディオデータ受信部２２によって受信されたオーディオデータを分析し、前記オーディオデータに２チャンネルを超える高チャンネルサービス、例えば、５.１チャンネルサービスを提供できるオーディオデータが存在するかどうかを判断することができる。その判断の結果、高チャンネルサービスのオーディオデータを含んでいる場合、オーディオデータ処理部２４は、前記オーディオデータを基本チャンネルオーディオデータと高チャンネルサービスを提供するための追加的なオーディオデータに分割することができる。そして、前記の分割された基本チャンネルオーディオデータ及び追加的なオーディオデータを直列バスの規格に符合する形態にパケット化することができる。
【００３９】
このとき、前記基本チャンネルオーディオデータとは、２チャンネルオーディオデータ、例えば、左チャンネルオーディオデータ及び右チャンネルオーディオデータを意味することができる。また、前記追加的なオーディオデータとは、高チャンネル、例えば、５.１チャンネルのオーディオ再生のために追加的に要求されるオーディオデータを意味することができる。例えば、前記追加的なオーディオデータは、５.１チャンネルにおいて左サラウンドデータ、右サラウンドデータ、センターデータ、低周波効果データなどを含むことができる。
【００４０】
直列バス伝送制御部２６は、直列バス伝送に必要な信号、例えば、ワード選択信号、ビットクロックなどを生成し、ワード選択信号（例えば、Ｉ２ＳでのＬＲクロック）によってパケット化された基本チャンネルオーディオデータ及び追加的なオーディオデータを伝送する。
【００４１】
例えば、直列バス伝送制御部２６は、直列バスの規格によるワード選択信号及びビットクロックなどを生成し、前記ワード選択信号がＬチャンネル又はＲチャンネルを選択すると、その選択されるチャンネルに対応する基本チャンネルオーディオデータを伝送し、ワード選択信号が他のチャンネルを選択するまでの残余時間を用いて基本のダミーデータの代わりに前記の分割された追加的なオーディオデータのうち少なくとも一つ以上を伝送することができる。
【００４２】
図４は、図２に示されているオーディオデータ受信装置３０の構成を示すブロック図である。
【００４３】
図４に示すように、オーディオデータ受信装置３０は、直列バス受信部３２、オーディオデータ抽出部３４、第１のデジタル／アナログコンバータ（ＤＡＣ：Ｄｉｇｉｔａｌ  ｔｏ  Ａｎａｌｏｇ  Ｃｏｎｖｅｒｔｅｒ）３６及び第２のデジタル／アナログコンバータ３８を含むことができる。このようなオーディオデータ受信装置３０は、例えば、オーディオコーデック（Ａｕｄｉｏ  Ｃｏｄｅｃ）などであってもよい。
【００４４】
直列バス受信部３２は、オーディオデータ伝送装置２０から伝送される各信号、例えば、オーディオデータ、ビットクロック、ワード選択信号などを受信してバッファーに格納する機能を行うことができる。前記オーディオデータは、パケット化された基本チャンネルオーディオデータ及び追加的なオーディオデータを含むことができる。
【００４５】
オーディオデータ抽出部３４は、前記直列バス受信部３２によって格納されたオーディオデータから、前記ワード選択信号に基づいて、基本チャンネルオーディオデータと追加的なオーディオデータをそれぞれ分割して抽出する。そして、その抽出された基本チャンネルオーディオデータ及び追加的なオーディオデータを第１のデジタル／アナログコンバータ３６及び第２のデジタル／アナログコンバータ３８にそれぞれ伝送する。
【００４６】
第１のデジタル／アナログコンバータ３６は、オーディオデータ抽出部３４から基本チャンネルオーディオデータを受信してアナログ信号に変換した後、これを基本チャンネルを再生するための再生装置に出力する。同一の概念で、第２のデジタル／アナログコンバータ３８は、オーディオデータ抽出部３４から追加的なオーディオデータを受信してアナログ信号に変換した後、これを基本チャンネル以外の追加的なチャンネルを再生する再生装置に出力する。
【００４７】
以上、本発明の好適な実施例に係るオーディオデータ伝送方法を実現するためのオーディオデータ伝送装置を含む伝送システムを説明した。前記オーディオデータ伝送装置によると、２チャンネルをサポートする直列バス、例えば、Ｉ２Ｓを使用してより高チャンネルのサービスのためのオーディオデータを伝送することができる。以下では、このようなオーディオデータ伝送装置に基づく本発明の好適な実施例に係るオーディオデータ伝送方法を説明する。
【００４８】
図５は、本発明の好適な実施例に係るオーディオデータ伝送方法を説明するためのフローチャートであって、２チャンネルをサポートするＩ２Ｓを用いて５.１チャンネルのオーディオデータを伝送する過程を例示的に示している。
【００４９】
図５に示すように、まず、オーディオデータ伝送装置はオーディオデータを受信する（段階：Ｓ１）。望ましくは、前記オーディオデータはＰＣＭデータであってもよい。
【００５０】
次に、オーディオデータ伝送装置は、受信されたオーディオデータを分析し、前記オーディオデータに５.１チャンネルサービスを提供するためのオーディオデータが含まれているかどうかを判断することができる。このとき、５.１チャンネルサービスを提供するためのオーディオデータが含まれている場合、オーディオデータ伝送装置は、前記オーディオデータを２チャンネルオーディオデータと５.１チャンネルサービスのための追加的なオーディオデータに分割する（段階：Ｓ２）。そして、その分割された２チャンネルオーディオデータ及び追加的なデータをＩ２Ｓ規格に合わせてパケット化する。
【００５１】
前記２チャンネルオーディオデータは、例えば、左チャンネルオーディオデータ及び右チャンネルオーディオデータを含むことができる。また、前記追加的なオーディオデータは、５.１チャンネルのサービスのために要求される各オーディオデータ、例えば、左サラウンドデータ、右サラウンドデータ、センターデータ、低周波効果データなどを含むことができる。
【００５２】
次に、オーディオデータ伝送装置は、直列バス伝送に必要なワード選択信号であるＬＲクロック及びビットクロックなどを生成した後、ＬＲクロック（すなわち、直列バスを通してデータを伝送するのに必要なワード選択信号）によって、パケット化された基本チャンネルオーディオデータ及び追加的なオーディオデータを伝送することができる（段階：Ｓ３〜Ｓ８）。
【００５３】
例えば、まず、ワード選択信号であるＬＲクロックがＬチャンネルを選択したと仮定すると（段階：Ｓ３）、オーディオデータ伝送装置は、直列オーディオデータ伝送回線を用いて、Ｌチャンネルに対応する基本チャンネルオーディオ信号である左チャンネルオーディオデータを伝送し（段階：Ｓ４）、ＬＲクロックがＲチャンネルを選択するまでの残余時間の間、追加的な各オーディオデータ、例えば、左サラウンドデータ、センターデータなどを伝送することができる（段階：Ｓ５）。
【００５４】
その後、ＬＲクロックが遷移してＲチャンネルを選択すると（段階：Ｓ６）、オーディオデータ伝送装置は、直列オーディオデータ伝送回線を用いて、右チャンネルに対応する基本チャンネルオーディオデータである右チャンネルオーディオデータを伝送し（段階：Ｓ７）、ＬＲクロックがＬチャンネルを選択するまでの残余時間の間、追加的な各オーディオデータ、例えば、右サラウンドデータ、低周波効果データなどを伝送することができる（段階：Ｓ８）。
【００５５】
図６は、本発明の好適な実施例によってオーディオデータを伝送する過程を示すタイミング図であって、ＬＲクロックの１周期当たりに伝送可能なビット数が６４ビットで、各チャンネル当たりに３２ビットの伝送が可能であると仮定した。また、ワード選択信号であるＬＲクロックがローレベルである場合はＬチャンネルを選択したことを示し、ハイレベルである場合はＲチャンネルを選択したとことを示すと仮定する。これは、実施の一例に過ぎなく、限定的な事項でないことは当然である。
【００５６】
図６に示すように、ワード選択信号であるＬＲクロックがＬチャンネルの選択を示すローレベルであるとき、１６ビットの左チャンネルオーディオデータが伝送され、引き続いて、１６ビットの追加伝送が可能な残余時間の間、８ビットの左サラウンドデータ及び８ビットのセンターデータが伝送される。
【００５７】
次に、ＬＲクロックがＲチャンネルの選択を示すハイレベルに遷移されると、１６ビットの右チャンネルオーディオデータが伝送され、引き続いて、１６ビットの追加伝送が可能な残余時間の間、８ビットの右サラウンドデータ及び８ビットの低周波効果データが伝送される。
【００５８】
以上、本発明の好適な実施例を説明した。前記開示した技術によると、２チャンネルをサポートする直列バスを用いてバス規格の変更がなくても５.１チャンネルなどのような高チャンネルのオーディオデータを伝送することができる。一方、上述した実施例では、基本チャンネルオーディオデータと追加的な各オーディオデータを別途のパケットで構成して伝送する例を挙げた。以下の本発明の好適な他の実施例として、基本チャンネルオーディオデータ及び追加的なオーディオデータを一つの直列型のデータパケットで構成して伝送する例を説明する。
【００５９】
図７は、本発明の好適な他の実施例に係るオーディオデータ伝送方法を説明するための例示図であって、２チャンネルをサポートするＩ２Ｓを用いて５.１チャンネルのオーディオデータを伝送する過程を例示的に示している。
【００６０】
図７に示すように、まず、オーディオデータ伝送装置は、オーディオデータを受信する（段階：Ｓ１１）。望ましくは、前記オーディオデータは、ＰＣＭデータであってもよい。
【００６１】
次に、オーディオデータ伝送装置は、受信されたオーディオデータを分析し、前記オーディオデータに５.１チャンネルサービスを提供するためのオーディオデータが含まれているかどうかを判断することができる。このとき、５.１チャンネルサービスを提供するためのオーディオデータが含まれている場合、オーディオデータ伝送装置は、前記オーディオデータを２チャンネルオーディオデータと５.１チャンネルサービスのための追加的なオーディオデータに分割する（段階：Ｓ１２）。
【００６２】
次に、オーディオデータ伝送装置は、前記の分割された２チャンネルオーディオデータを含むＩ２Ｓ規格のオーディオデータパケットを構成した後（段階：Ｓ１３）、チャンネル別に挿入可能なパケットの長さを考慮し、前記オーディオデータパケットにおいて前記基本チャンネルオーディオデータの挿入後に残った空の領域（すなわち、残余領域）に少なくとも一つの追加的なオーディオデータを挿入する（段階：Ｓ１４）。
【００６３】
次に、オーディオデータ伝送装置は、前記基本チャンネルオーディオデータ及び前記追加的なオーディオデータを含むオーディオデータパケットをワード選択信号であるＬＲクロックによってオーディオデータ受信装置に伝送することができる（段階：Ｓ１５）。
【００６４】
以上、本発明について好適な実施例を参照して説明したが、該当の技術分野で熟練した当業者であれば、下記の特許請求の範囲に記載した本発明の技術的思想及び領域から逸脱しない範囲内で本発明を多様に修正及び変更して実施可能であることを理解できるだろう。したがって、本発明の各実施例の変更は、本発明の技術から逸脱することはできない。
【図１】
2012518939.tif 000003
【図２】
2012518939.tif 000004
【図３】
2012518939.tif 000005
【図４】
2012518939.tif 000006
【図５】
2012518939.tif 000007
【図６】
2012518939.tif 000008
【図７】
2012518939.tif 000009
【国際調査報告】
2012518939.tif 000010
2012518939.tif 000011